(57)【要約】【課題】バーヘッドの振動による肌のマッサージ効果を高めることができる振動式美容器を提供する。【解決手段】肌に接触する直線状バー２１を備えたバーヘッド２０と、バーヘッド２０に振動を加える振動体とその電力供給源となる電池を内部に収納した本体部１１とからなり、本体部１１の先端部にバーヘッド２０を連結する支持ヘッド１２を設け、本体部１１の後端部にスイッチキャップ１３を設けた振動式美容器１０であって、バーヘッド２０の表面に純金メッキを施し、バーヘッド２０の直線状バー２１を本体部１１の縦軸に対して横方向に長尺に形成した。【選択図】図１
0003171799.tif 000002
【実用新案登録請求の範囲】
【請求項１】
肌に接触する直線状バーを備えたバーヘッドと、前記バーヘッドに振動を加える振動体とその電力供給源となる電池を内部に収納した本体部とからなり、前記本体部の先端部に前記バーヘッドを連結する支持ヘッドを設け、前記本体部の後端部にスイッチキャップを設けた振動式美容器であって、前記バーヘッドの表面に純金メッキを施し、前記バーヘッドの前記直線状バーを前記本体部の縦軸に対して横方向に長尺に形成したことを特徴とする振動式美容器。
【請求項２】
前記バーヘッドの全体形状を正面視略７型形状又は正面視横Ｌ型形状に形成し、前記バーヘッドの端部に丸みを形成したことを特徴とする請求項１に記載の振動式美容器。
【請求項３】
前記バーヘッドの断面形状を円形状又は楕円形状に形成して肌との接触がスムーズになるようにしたことを特徴とする請求項１又は請求項２に記載の振動式美容器。
【考案の詳細な説明】
【技術分野】
【０００１】
本考案は、純金加工を施したバーヘッドの振動によって肌をマッサージする振動式美容器に関する。
【背景技術】
【０００２】
従来、一般的な振動式美容器については、以下に示すような発明が提案されている。
特開２００８−７３０９２号公報（特許文献１）には、肌の細部まで手入れができると共に超音波振動による美用効果と皮下組織に小電圧パルス列を通電することによる美容効果を併せ持つことを目的とし、有頂筒状のプローブヘッドと、このプローブヘッドを支持する握持本体を備え、プローブヘッドの頂板外面が肌接触面とされ、頂板内面側に設けた超音波振動子を介して頂板を超音波振動させることを特徴とする「超音波美容器」が提案されている。
【０００３】
また、特開２００６−３４６５１号公報（特許文献２）には、超音波振動によるマイクロマッサージ作用とローラー部材転動による転圧マッサージ作用の相乗効果が得られることを目的とし、把持部を有する器体ケースの上部に関節部材を上下首振り自在に枢支し、該関節部材の先部にローラー部材を転動自在に取付け、該ローラー部材に超音波発生器で発生させた超音波を出力させる超音波振動子を固着させることを特徴とする「超音波美容器」が提案されている。
【０００４】
また、特開２００５−２１１２０２号公報（特許文献３）には、ヘッド部と肌との間に生じる摩擦を抑制することができ、肌を傷めてしまう虞のない超音波美容器を提供することを目的とし、本発明の超音波美容器は、肌に接触して肌に超音波を伝えるヘッド部を備え、このヘッド部は肌に沿って転がり回転可能に設けられていることを特徴とする「超音波美容器」が提案されている。
【０００５】
また、特開２０００−２８２号公報（特許文献４）には、人体肌に対し、筒状部材によるローリングマッサージと、振動マッサージと、振動ローリングマッサージを任意に選択実施できる携帯用振動式美顔器を提供することを目的とし、本体内部に振動手段である振動機構を内装し、該振動手段による振動を伝達部材を介して本体端部に着脱自在に保持される筒状部材に伝達できるようにし、使用者が必要に応じた数種のマッサージを任意に選択して行えるように構成することを特徴とする「携帯用振動式美顔器」が提案されている。
【先行技術文献】
【特許文献】
【０００６】
【特許文献１】特開２００８−７３０９２号公報
【特許文献２】特開２００６−３４６５１号公報
【特許文献３】特開２００５−２１１２０２号公報
【特許文献４】特開２０００−２８２号公報
【考案の概要】
【考案が解決しようとする課題】
【０００７】
本考案は、バーヘッドの振動による肌のマッサージ効果を高めることができる振動式美容器を提供することを目的とする。
【課題を解決するための手段】
【０００８】
上記の課題を解決するために、請求項１に記載の考案は、肌に接触する直線状バーを備えたバーヘッドと、前記バーヘッドに振動を加える振動体とその電力供給源となる電池を内部に収納した本体部とからなり、前記本体部の先端部に前記バーヘッドを連結する支持ヘッドを設け、前記本体部の後端部にスイッチキャップを設けた振動式美容器であって、前記バーヘッドの表面に純金メッキを施し、前記バーヘッドの前記直線状バーを前記本体部の縦軸に対して横方向に長尺に形成したことを特徴とする。
【０００９】
また、請求項２に記載の考案は、請求項１に記載の前記バーヘッドの全体形状を正面視略７型形状又は正面視横Ｌ型形状に形成し、前記バーヘッドの端部に丸みを形成したことを特徴とする。
【００１０】
また、請求項３に記載の考案は、請求項１又は請求項２に記載の前記バーヘッドの断面形状を円形状又は楕円形状に形成して肌との接触がスムーズになるようにしたことを特徴とする。
【考案の効果】
【００１１】
以上のように、本考案によれば、純金メッキを施したバーヘッドの直線状バーが横方向に長尺に形成され、バーヘッドの全体形状については正面視略７型形状又は正面視横Ｌ型形状に形成されることにより、直線状バーと肌との接触部分が大きくなり、純金加工されたバーヘッドの振動による肌のマッサージ効果を高めることができる。また、バーヘッドの断面形状については円形状又は楕円形状に形成されることにより、直線状バーと肌との接触がスムーズになり、リラックスしながらスキンケアを行うことができる。
【図面の簡単な説明】
【００１２】
【図１】本考案にかかる振動式美容器の第１実施例を示す正面図である。
【図２】図１に示す振動式美容器の左側面図である。
【図３】図１に示す振動式美容器の斜視図である。
【図４】図１に示す振動式美容器の構造を示す説明図である。
【図５】本考案にかかる振動式美容器の第２実施例を示す正面図である。
【図６】図５に示す振動式美容器の左側面図である。
【図７】本考案にかかる振動式美容器のバーヘッドの断面形状の説明図である。
【考案を実施するための形態】
【００１３】
以下、本考案の実施の形態について図面を参酌しながら説明する。なお、本考案にかかる振動式美容器は、以下の実施例に限定されるものではなく、本体部の内部構造や駆動方法等については適宜変更することができる。
【００１４】
図１は本考案にかかる振動式美容器の第１実施例を示す正面図、図２は図１に示す振動式美容器の左側面図、図３は図１に示す振動式美容器の斜視図、図４は図１に示す振動式美容器の構造を示す説明図である。
振動式美容器１０は、バーヘッド２０と本体部１１とからなり、バーヘッド２０の全体形状は、図１及び図４に示すように正面視略７型形状に形成されている。
【００１５】
バーヘッド２０は、肌に接触する直線状バー２１と丸みを有する端部２２とを備えており、直線状バー２１は、図１及び図４に示すように本体部１１の縦軸に対して横方向に長尺に形成されている（バーヘッド２０の横方向の寸法例／約３５ｍｍ）。バーヘッド２０の断面形状は、図２に示すように円形状に形成されている（図７（Ａ）参照）。また、バーヘッド２０の表面は、２４Ｋ純金特殊表面仕上げにより純金メッキが施されている。なお、バーヘッド２０の断面形状については、図７（Ｂ）に示すように楕円形状に形成してもよい。
【００１６】
本体部１１には、図４に示すようにバーヘッド２０に振動（毎分６０００回転の振動）を加える振動体１４とその電力供給源となる電池１５が内部に収納されている。また、本体部１１の先端部には、バーヘッド２０を連結する支持ヘッド１２が設けられ、本体部１１の後端部には、スイッチキャップ１３が設けられている。このスイッチキャップ１３の回転操作により、スイッチのＯＮ／ＯＦＦと電池交換を容易に行うことができる。また、本体部１１は、お風呂で使用できるように防水仕様になっている。
【００１７】
以上のように、振動式美容器１０は、直線状バー２１と肌との接触部分が大きくなり、純金加工されたバーヘッド２０の振動による肌のマッサージ効果を高めることができる。また、バーヘッド２０の全体形状が正面視略７型形状に形成されているので使いやすく、丸みを有する端部２２を使用して小鼻の脇などの狭いところのマッサージや気になる箇所のツボ刺激を行うことができる。
【００１８】
図５は本考案にかかる振動式美容器の第２実施例を示す正面図、図６は図５に示す振動式美容器の左側面図である。
振動式美容器３０は、バーヘッド４０と本体部３１とからなり、バーヘッド４０の全体形状は、図５に示すように正面視横Ｌ型形状に形成されている。
【００１９】
バーヘッド４０は、第１実施例と同様に肌に接触する直線状バー４１と丸みを有する端部４２とを備えており、直線状バー４１は、図５に示すように本体部３１の縦軸に対して横方向に長尺に形成されている。第１実施例と同様にバーヘッド４０の断面形状は、図６に示すように円形状に形成されている（図７（Ａ）参照）。また、第１実施例と同様にバーヘッド４０の表面は、２４Ｋ純金特殊表面仕上げにより純金メッキが施されている。なお、バーヘッド４０の断面形状については、図７（Ｂ）に示すように楕円形状に形成してもよい。
【００２０】
本体部３１には、第１実施例と同様にバーヘッド４０に振動（毎分６０００回転の振動）を加える振動体とその電力供給源となる電池が内部に収納されている（図示省略）。また、第１実施例と同様に本体部３１の先端部には、バーヘッド４０を連結する支持ヘッド３２が設けられ、本体部３１の後端部には、スイッチキャップ３３が設けられている。このスイッチキャップ３３の回転操作により、スイッチのＯＮ／ＯＦＦと電池交換を容易に行うことができる。また、第１実施例と同様に本体部３１は、お風呂で使用できるように防水仕様になっている。
【００２１】
以上のように、振動式美容器３０は、第１実施例と同様に直線状バー４１と肌との接触部分が大きくなり、純金加工されたバーヘッド４０の振動による肌のマッサージ効果を高めることができる。また、バーヘッド４０の全体形状が正面視横Ｌ型形状に形成されているので使いやすく、第１実施例と同様に丸みを有する端部４２を使用して小鼻の脇などの狭いところのマッサージや気になる箇所のツボ刺激を行うことができる。
【符号の説明】
【００２２】
１０  振動式美容器
１１  本体部
１２  支持ヘッド
１３  スイッチキャップ
１４  振動体
１５  電池
２０  バーヘッド
２１  直線状バー
２２  端部
３０  振動式美容器
３１  本体部
３２  支持ヘッド
３３  スイッチキャップ
４０  バーヘッド
４１  直線状バー
４２  端部
【図１】
0003171799.tif 000003
【図２】
0003171799.tif 000004
【図３】
0003171799.tif 000005
【図４】
0003171799.tif 000006
【図５】
0003171799.tif 000007
【図６】
0003171799.tif 000008
【図７】
0003171799.tif 000009